(57)【要約】  植物の交換が容易に可能な壁面緑化ユニットを提供する。  本発明の壁面緑化ユニット１は、外装容器１４、及び、前記外装容器１４に取り付けられ且つ前記外装容器１４の上方を延びる延在部１３ｂを有する懸架フレーム１３、を含む固設部１０と、培土５４が収納され且つ前記外装容器１４の内部に配置可能な培土収容容器５１、前記培土収容容器５１から延びる登攀材５２、及び、前記登攀材５２の上端に取り付けられ且つ前記延在部１３ｂに着脱可能な取付部、を含む植栽部５０と、を備え、前記植栽部５０が、前記固設部１０に対して着脱可能である。
2018131072.tif 000002
【特許請求の範囲】
【請求項１】
外装容器、及び、前記外装容器に取り付けられ且つ前記外装容器の上方を延びる延在部を有する懸架フレーム、を含む固設部と、
培土が収納され且つ前記外装容器の内部に配置可能な培土収容容器、前記培土収容容器から延びる登攀材、及び、前記登攀材の上端に取り付けられ且つ前記延在部に着脱可能な取付部、を含む植栽部と、を備え、
前記植栽部が、前記固設部に対して着脱可能である壁面緑化ユニット。
【請求項２】
前記登攀材は、湾曲可能な部材で製造されている
請求項１に記載の壁面緑化ユニット。
【請求項３】
前記外装容器は、
前記培土収容容器を配置する容器配置部と、
前記容器配置部の下部に設けられた培養液貯留部と、を備え、
前記培養液貯留部から前記容器配置部に延びるとともに、前記容器配置部に配置された前記培土収容容器に養液を散布する送液ラインと、
前記送液ラインに前記養液を送液する送液ポンプと、
を備える請求項１又は２に記載の壁面緑化ユニット。
【発明の詳細な説明】
【技術分野】
【０００１】
本発明は、壁面緑化ユニットに関する。
【背景技術】
【０００２】
近年、壁面緑化は、都市部で問題になっているヒートアイランド現象の緩和策、省エネ対策の他にも多くの効果が期待できる。
従来、土壌収納部、潅水装置、及び植栽された植物を誘引し支持する装置としての登攀材を揃えた壁面緑化装置が存在する。土壌収納部は主としてつる性植物の成長に適した根の部分の環境を整えるものである。雨水を主として潅水する潅水装置は、給水を制御できる弁装置を備える。登攀材は両端が取付け具により他の物へ取り付け可能とされている。
また、従来より、観葉植物のリース事業が行われている。リース事業では，定期的に植物を交換し、環境条件の整った温室で再生（活性化）して再度、顧客に戻すことが行われている。
【先行技術文献】
【特許文献】
【０００３】
【特許文献１】特開２０１１−２４５０２号公報
【発明の概要】
【発明が解決しようとする課題】
【０００４】
従来技術の壁面緑化装置における植物は、所定の場所に固定設置されるものであり、リース事業等の業者が植物を交換することを前提としていない。
また、壁面緑化以外において、植物のリース事業は行われているが、この場合、植物の交換の際、鉢やプランタの土が重く、多大な労力が必要となっていた。【０００５】
本発明は、植物の交換が容易に可能な壁面緑化ユニットを提供することを目的とする。
【課題を解決するための手段】
【０００６】
（１）本発明は、外装容器、及び、前記外装容器に取り付けられ且つ前記外装容器の上方を延びる延在部を有する懸架フレーム、を含む固設部と、培土が収納され且つ前記外装容器の内部に配置可能な培土収容容器、前記培土収容容器から延びる登攀材、及び、前記登攀材の上端に取り付けられ且つ前記延在部に着脱可能な取付部、を含む植栽部と、を備え、前記植栽部が、前記固設部に対して着脱可能である壁面緑化ユニットである。【０００７】
（２）前記登攀材は、湾曲可能な部材で製造されていることが好ましい。【０００８】
（３）前記外装容器は、前記培土収容容器を配置する容器配置部と、前記容器配置部の下部に設けられた培養液貯留部と、を備え、前記培養液貯留部から前記容器配置部に延びるとともに、前記容器配置部に配置された前記培土収容容器に養液を散布する送液ラインと、前記送液ラインに前記養液を送液する送液ポンプと、を備えることが好ましい。
【発明の効果】
【０００９】
本発明によれば、植物の交換が容易に可能な壁面緑化ユニットを提供することができる。
【図面の簡単な説明】
【００１０】
【図１】本発明の実施形態の壁面緑化ユニット１を長手方向からみた概略図である。
【図２】外装容器１４の幅方向の断面図である。
【図３】外装容器１４の変形例を示した図であり、（ａ）は第１変形例の外装容器１４Ａ、（ｂ）は第２変形例の外装容器１４Ｂを示す。
【図４】植栽部５０を説明する図であり、（ａ）は、植栽部５０のフック５３が、延在部１３ｂに取り付けられている状態、（ｂ）は登攀材５２を渦巻き状に巻いた状態、（ｃ）は登攀材５２が巻かれた状態の植栽部５０を箱６０に入れた状態である。
【発明を実施するための形態】
【００１１】
以下、図面を参照しながら、本発明の実施形態の壁面緑化ユニット１について説明する。図１は、本発明の実施形態の壁面緑化ユニット１を長手方向からみた概略図である。図示するように、壁面緑化ユニット１は、固設部１０と、培土収容容器５１及び登攀材５２を含むと植栽部５０と、を備える。
【００１２】
（固設部１０）
固設部１０は、所望の場所に固定設置される部分である。固設部１０は、複数の植栽部５０を収納可能な外装容器１４と、外装容器１４の前後（図１における左右）において外装容器１４から上方に延びる２本の支柱部１３ａ及び２本の支柱部１３ａの上端の間に架け渡された延在部１３ｂを含む懸架フレーム１３と、を備える。
【００１３】
図２は、外装容器１４の幅方向の断面図である。外装容器１４は、上面が開口した箱型であり、互いに対向するとともに長手方向に延びる一対の横壁部１１と、互いに対向するとともに幅方向に延びる一対の端壁部１２（図１に示す）と、底部１９とを有する、上部が開口した箱型部材である。実施形態で横壁部１１は、端壁部１２より長尺となっている。以下、横壁部１１が延びる方向を長手方向、端壁部１２が延びる方向を幅方向という。
【００１４】
図２に示すように、外装容器１４の横壁部１１は、内側領域１１ａと外側領域１１ｂとを有する。内側領域１１ａの高さは外側領域１１ｂよりも低く、内側領域１１ａの上端には、段部１１ｃが形成されている。
なお、図示しないが、端壁部１２も内側領域と外側領域とを有する。端壁部１２の内側領域と外側領域の高さは、横壁部１１の内側領域１１ａと外側領域１１ｂとの高さと同じであり、同位置に段部が形成されている。
【００１５】
横壁部１１の段部１１ｃと端壁部１２の段部とに縁部が保持される形で、板状のメッシュ部材１７が配置されている。メッシュ部材１７は、横壁部１１の外側領域１１ｂと端壁部１２の外側領域との内壁で画される矩形形状と略同形である。メッシュ部材１７によって、外装容器１４の内部空間が、下部空間と上部空間との２つの空間とに分離されている。ただし、メッシュ状であるため上部空間から下部空間へ後述の養液は流れ出ることができる。上部空間は、植栽部５０の後述の培土収容容器５１を配置する容器配置部４０であり、下部空間は、植物に散布される養液を貯留する培養液貯留部２０である。
【００１６】
本実施形態では、このように横壁部１１に設けた段部にメッシュ部材１７を配置することより外装容器１４の内部空間を分離している。ただし、これに限定されない。図３は、外装容器１４の変形例を示した図である。図３（ａ）は第１変形例の外装容器１４Ａ、図３（ｂ）は第２変形例の外装容器１４Ｂを示す。内部空間の分離方法としては、図３（ａ）に示すように外装容器１４を２つの上容器１０Ａと下容器１０Ｂとに分離可能としてもよい。また、図３（ｂ）に示すように、外装容器１４の内部に設ける段部１１ｃを上方に設け、培土収容容器５１に縁部を設けて、その縁部をその段部１１ｃに懸けるものであってもよい。
【００１７】
（容器配置部４０）
図１及び図２の本実施形態に戻り、容器配置部４０について説明する。容器配置部４０は、上部が開放しており、メッシュ部材１７上に、培土収容容器５１を配置することができる。
【００１８】
（培養液貯留部２０）
培養液貯留部２０は、容器配置部４０の下部に位置する。培養液貯留部２０の底部１９には、水抜き用の穴１５が設けられ、その穴１５には開閉可能な栓１６が取り付けられている。培養液貯留部２０には、養分を含む水が貯留されている。
【００１９】
（送液ポンプ３０）
外装容器１４は、さらに、図１に示すように容器配置部４０の内部に配置された送液ポンプ３０と、送液ポンプ３０により送り出される養液を、容器配置部４０に散水する散水ラインである散水パイプ３１と、を備える。送液ポンプ３０は、例えば水陸両用のポンプで低騒音のものが好ましい。
なお、本実施形態では、送液ポンプ３０は培養液貯留部２０の内部に配置されているが、これに限らず、培養液貯留部２０の外部に配置してもよい。
【００２０】
（散水パイプ３１）
送液ポンプ３０から、送液ラインとして散水パイプ３１が延びている。散水パイプ３１は、外装容器１４の側面を上方に延び、さらに、容器配置部４０の上部を水平に延びる。散水パイプ３１の容器配置部４０の上を通る部分の下部には、複数の散水穴３１ａが設けられている。
【００２１】
（懸架フレーム１３）
外装容器１４には、懸架フレーム１３が取り付けられている。懸架フレーム１３は、後述の登攀材５２の上端を保持するためのものである。懸架フレーム１３は、外装容器１４の長手方向（前後）の端部に配置され、外装容器１４より上方に延びる２本の支柱部１３ａと、その２本の支柱部１３ａの上端の間に架け渡された延在部１３ｂと、を備える。
【００２２】
(植栽部５０）
図４は植栽部５０を説明する図である。図示するように植栽部５０は、培土５４が収納された培土収容容器５１と、培土５４に下端が挿入されて保持された登攀材５２と、登攀材５２の上端に取り付けられた取付部であるフック５３と、を備える。
【００２３】
(培土収容容器５１）
図４（ａ）は、植栽部５０のフック５３が、延在部１３ｂに取り付けられている状態を示す。培土収容容器５１は、培土を収容し、その培土には植物が植え込まれている。本実施形態で培土は、水耕栽培用の、例えば無機物のバーミキュライト、パーライト、ロックウール、ハイドロボール、スポンジ等であり、土に比べて軽量である。また、植え込まれた植物は、つる性の植物である。
【００２４】
(登攀材５２）
登攀材５２は、ワイヤーで製造され、その先端に、懸架フレーム１３の延在部１３ｂに着脱可能に引っ掛けることが可能なフック状の取付部５３が設けられている。取付部５３を懸架フレーム１３に引っ掛けることにより、登攀材５２の上端が懸架フレーム１３に保持され、登攀材５２を懸架フレーム１３に懸架することができる。
なお、取付部５３はフック状に限らず、クリップ状でもよい。クリップ状の場合、延在部１３ｂの所定の部位を把持することにより、より固定された状態で登攀材５２を延在部１３ｂに取り付けることができる。
【００２５】
登攀材５２は、湾曲可能であり、渦巻き状、とぐろ状、円形状又はらせん状等に巻くことができる。図４（ｂ）は、登攀材５２を渦巻き状に巻いた状態を示す図であり、（ｃ）は登攀材５２が渦巻き状に巻かれた状態の植栽部５０を、段ボール等の箱６０に収納した状態である。
また登攀材５２は、例えば、部分的又は全体をバネで製造し、又は弾性部材で製造することもでき、その場合、長さ調節が可能となり、バネがわずかに引っ張られた状態で懸架フレーム１３に装着されるようにすると、登攀材５２を撓ませることなく、懸架フレーム１３に取り付けることができる。
【００２６】
（使用方法）
培養液貯留部２０の内部に、植物の育成に必要な養液を入れ、メッシュ部材１７を配置する。
容器配置部４０に、培土及びその培土につる性の植物が植え込まれた複数の植栽部５０を配置する。植栽部５０の登攀材５２の取付部５３を、それぞれ懸架フレーム１３の延在部１３ｂに引っ掛けることにより、登攀材５２を懸架フレーム１３に懸架する。
【００２７】
送液ポンプ３０を作動させる。送液ポンプ３０を作動させる時間は、季節等によって異なるが、例えば１日１回、５分程度とし、その時間はタイマー等で管理可能である。
送液ポンプ３０が作動されると、養液は、散水パイプ３１を伝わって上部へと送出され、散水穴３１ａより培土へ散水される。
【００２８】
容器配置部４０に供給された養液は、培土によって吸収される。吸収されなかった養液は培養液貯留部２０に流出する。
植栽部５０の培土収容容器５１に植え込まれた植物が育っていくと、登攀材５２に巻き付いて、上方に延びていく。
【００２９】
本実施形態では、例えば壁面緑化ユニットの複数の植栽部５０のうちのいくつかの植栽部５０に植え込まれた植物の発育状態が良好でない場合、発育不良の植栽部５０を交換することができる。
【００３０】
交換は、まず、発育不良の植物が植えられている植栽部５０の登攀材５２の上部に取り付けられた取付部５３を固設部１０の懸架フレーム１３の延在部１３ｂから外す。このとき、取付部５３はフック状であるので取り外しが容易である。
【００３１】
登攀材５２は、ワイヤーで製造されており、湾曲可能であるので、図４（ｂ）に示すように、渦巻き状に巻いてコンパクトにすることができる。例えば、植物がリース業者からのリースされているものである場合、（ｃ）に示すように、登攀材５２が渦巻き状に巻かれた状態の植栽部５０はコンパクトであるので、交換に出向いたリース業者は、段ボール等の箱に収納して持ち帰ることができ、輸送が容易になる。この際、コンパクトになるので、宅配便輸送も可能となる。
【００３２】
さらに、本実施形態では、培土収容容器５１内において根のはる培土は、水はけのよい水耕栽培用の培土であり、例えば無機物のバーミキュライト、パーライト、ロックウール、ハイドロボール、スポンジ等の、土に比べて軽量なものである。したがって、従来のような、天然の土ごとの交換と比較すると大幅な軽量化が可能となり、運搬が容易になる。
【００３３】
そして、同様にコンパクト且な状態で運び込まれた発育のよい状態の植物が植えこまれた植栽部５０を、発育不良の植物が植えこまれた植栽部５０が配置されていた位置に配置する。そして、その植栽部５０の登攀材５２の取付部５３を懸架フレーム１３の延在部１３ｂに取り付ける。
以上、本実施形態によると、植栽部５０を容易に交換することができる。
【００３４】
また、本実施形態では、複数の植栽部５０を個々に交換可能としたので連作障害が発生する植物の交換の場合、培養液を全取替することにより対応が可能となる。
【００３５】
外装容器１４に懸架フレーム１３が装着されているので、外装容器１４と懸架フレーム１３とが一体となった壁面緑化ユニット１を提供することができる。
【００３６】
養液は送液ポンプ３０により自動で送られるので、使用者の散水及び養液の供給の手間を省くことができる。また、養液の供給忘れによる乾燥や発育不全が生じることがない。
【００３７】
養液は、かけ流しでなく、培土により吸収されなかった養液は、培養液貯留部２０に流れ出る。培養液貯留部２０に貯留された養液は、再度、送液ポンプ３０で培土へと送られるので、養液が無駄になることがない。ゆえに、環境汚染等の可能性が少ない。
【００３８】
リース事業以外にも，固設部１０のみをまず顧客に低価格で販売し、カートリッジ状に成形した各種植物を別途販売する手法が考えられる。この場合、各種植物は軽量且つコンパクトであるので、宅配便により提供可能である。
【００３９】
環境条件等により生育が悪化した場合は新規カートリッジの購入時に回収（買取）し、温室など環境条件の良好な場所で再生した上で、再度販売することも可能である。
【符号の説明】
【００４０】
１    壁面緑化ユニット
２    支柱部
１０    固設部
１１    横壁部
１１ａ    内側領域
１１ｂ    外側領域
１１ｃ    段部
１２    端壁部
１３    懸架フレーム
１３ａ    支柱部
１３ｂ    延在部
１４    外装容器
１７    メッシュ部材
２０    培養液貯留部
３０    送液ポンプ
３１    散水パイプ
３１ａ    散水穴
４０    容器配置部
５０    植栽部
５１    培土収容容器
５２    登攀材
５３    取付部
５４    培土
【図１】
2018131072.tif 000003
【図２】
2018131072.tif 000004
【図３】
2018131072.tif 000005
【図４】
2018131072.tif 000006
【国際調査報告】
2018131072.tif 000007
2018131072.tif 000008
2018131072.tif 000009
2018131072.tif 000010